(57)【要約】【課題】本発明は、接続されているＡＣアダプタを用いて適切な充電制御を行うことができる電子機器を提供する。【解決手段】電源回路１４２からバッテリ１５０に第２の充電電流より低い第３の充電電流を供給している状態におけるＡＣアダプタ１４３の第１の電圧値（Ｖ１）と、電源回路１４２からバッテリ１５０に充電電流を供給していない状態におけるＡＣアダプタ１４３の第２の電圧値（Ｖ０）との差分値がしきい値より小さい場合はＡＣアダプタ１４３が急速充電に対応していると判別し、急速充電用の充電電流値である第１の充電電流をバッテリ１５０に供給して急速充電を行う。【選択図】      図２
2010263677.tif 000002
【特許請求の範囲】
【請求項１】
バッテリおよび外部電源によって駆動可能な電子機器であって、
前記外部電源から得られる電力を変換して前記バッテリに急速充電を行うための第１の充電電流、および前記第１の充電電流より低く通常充電を行うための第２の充電電流を供給する電源回路と、
前記電源回路から前記バッテリに前記第２の充電電流より低い第３の充電電流を供給している状態における前記外部電源の第１の電圧値と、前記電源回路から前記バッテリに前記充電電流を供給していない状態における前記外部電源の第２の電圧値との差分値がしきい値より小さい場合は、前記第１の充電電流を前記バッテリに供給して急速充電を行う制御部とを備えることを特徴とする電子機器。
【請求項２】
バッテリおよび外部電源によって駆動可能な電子機器であって、
前記外部電源から得られる電力を変換して前記バッテリに急速充電を行うための第１の充電電流、および通常充電を行うための前記第１の充電電流より低い第２の充電電流を供給する電源回路と、
前記電源回路から前記バッテリに前記第２の充電電流より低い第３の充電電流を供給している状態における前記外部電源の第１の電圧値と、前記電源回路から前記バッテリに前記第３の充電電流より低い第４の充電電流を供給している状態における前記外部電源の第２の電圧値との差分値がしきい値より小さい場合は、前記第１の充電電流を前記バッテリに供給して急速充電を行う制御部とを備えることを特徴とする電子機器。
【請求項３】
前記第１の充電電流の電流値は、前記バッテリの充電電流値の上限値および前記電源回路電流設定値の上限値のいずれかであることを特徴とする請求項１または２に記載の電子機器。
【請求項４】
前記制御部は、前記差分値がしきい値より大きい場合は前記外部電源が急速充電に対応していないと判別し、前記第２の充電電流を前記バッテリに供給して通常充電を行うことを特徴とする請求項１または２に記載の電子機器。
【請求項５】
前記制御部は、第１のしきい値および当該第１のしきい値より大きい値である第２のしきい値を設定し、前記差分値が前記第１のしきい値より小さい場合、前記第１のしきい値より大きく前記第２のしきい値より小さい場合、および前記第２のしきい値より大きい場合の３つの判別を行い、３種類の外部電源に対応した充電電流を用いて前記バッテリに充電を行うことを特徴とする請求項１または２に記載の電子機器。
【請求項６】
前記差分値は、前記外部電源の電圧降下値であることを特徴とする請求項１または２に記載の電子機器。
【発明の詳細な説明】
【技術分野】
【０００１】
本発明は、パーソナルコンピュータのような電子機器を駆動するバッテリの充電制御を行う電子機器に関する。
【背景技術】
【０００２】
一般的に、パーソナルコンピュータのような電子機器を駆動するバッテリは、充電可能な二次電池が使用されている。このようなバッテリにおいては、外部電源であるＡＣアダプタ等を用いて充電を行う。ＡＣアダプタおよびバッテリの双方が急速充電に対応している場合は、短時間で充電を行うことができる。例えば、特許文献１では、ＡＣアダプタの供給電流が定格値を超えない範囲で充電電流を大きくすることで、バッテリの充電時間を短縮させる技術が開示されている。
【先行技術文献】
【特許文献】
【０００３】
【特許文献１】特開２００３−１８９５０１号公報
【発明の概要】
【発明が解決しようとする課題】
【０００４】
しかし、特許文献１においては、一種類のＡＣアダプタのみを用いており、大型で急速充電に対応したＡＣアダプタと、小型で持ち運びに適した通常充電のみが行えるＡＣアダプタとを判別して適切に制御することはできない。
【０００５】
そこで、本発明は、急速充電に対応したＡＣアダプタと通常充電のみが行えるＡＣアダプタとを判別して適切に制御することができる電子機器を提供することを目的とする。
【課題を解決するための手段】
【０００６】
上記目的を達成するために、本願発明の一態様によれば、バッテリおよび外部電源によって駆動可能な電子機器であって、前記外部電源から得られる電力を変換して前記バッテリに急速充電を行うための第１の充電電流、および通常充電を行うための前記第１の充電電流より低い第２の充電電流を供給する電源回路と、前記電源回路から前記バッテリに前記第２の充電電流より低い第３の充電電流を供給している状態における前記外部電源の第１の電圧値と、前記電源回路から前記バッテリに前記充電電流を供給していない状態における前記外部電源の第２の電圧値との差分値がしきい値より小さい場合は、前記第１の充電電流を前記バッテリに供給して急速充電を行う制御部とを備えることを特徴とする電子機器が提供される。
【０００７】
また、本願発明の一態様によれば、バッテリおよび外部電源によって駆動可能な電子機器であって、前記外部電源から得られる電力を変換して前記バッテリに急速充電を行うための第１の充電電流、および通常充電を行うための前記第１の充電電流より低い第２の充電電流を供給する電源回路と、前記電源回路から前記バッテリに前記第２の充電電流より低い第３の充電電流を供給している状態における前記外部電源の第１の電圧値と、前記電源回路から前記バッテリに前記第３の充電電流より低い第４の充電電流を供給している状態における前記外部電源の第２の電圧値との差分値がしきい値より小さい場合は、前記第１の充電電流を前記バッテリに供給して急速充電を行う制御部とを備えることを特徴とする電子機器が提供される。
【発明の効果】
【０００８】
本発明は、急速充電に対応したＡＣアダプタと通常充電のみが行えるＡＣアダプタとを判別して適切に制御することができる。
【図面の簡単な説明】
【０００９】
【図１】本発明の一実施形態に係るコンピュータの概観の例を示す斜視図。
【図２】図１のコンピュータのシステム構成の例を示すブロック図。
【図３】図１のコンピュータで用いられるＡＣアダプタ、電源コントローラ（ＰＳＣ）および電源回路を中心とした構成を示したブロック図。
【図４】図１のコンピュータで用いられるＡＣアダプタ、電源コントローラ（ＰＳＣ）および電源回路を中心とした構成をさらに詳細に示したブロック図。
【図５】図１のコンピュータによって実行される充電制御処理の手順の例を示すフローチャート。
【図６】図１のコンピュータによって実行される充電制御処理の際に用いられる各種パラメータの例を示す図。
【発明を実施するための形態】
【００１０】
以下、本発明の一実施形態について図面を参照しながら説明する。
【００１１】
まず、図１および図２を参照して、本発明の一実施形態に係る電子機器の構成について説明する。この電子機器は、例えば、バッテリ駆動可能なノートブック型の携帯型パーソナルコンピュータ１０として実現されている。
【００１２】
図１はコンピュータ１０のディスプレイユニットを開いた状態における斜視図である。本コンピュータ１０は、コンピュータ本体１１と、ディスプレイユニット１２とから構成されている。ディスプレイユニット１２には、ＬＣＤ（Liquid Crystal Display）１７から構成される表示装置が組み込まれており、そのＬＣＤ１７の表示画面はディスプレイユニット１２のほぼ中央に位置されている。
【００１３】
ディスプレイユニット１２は、コンピュータ本体１１に対して開放位置と閉塞位置との間を回動自在に取り付けられている。コンピュータ本体１１はバッテリが取り外し自在に装着可能な例えば薄い箱形の筐体を有している。バッテリは、コンピュータ本体１１の例えば底面に設けられたバッテリ収容スペースに装着される。また、バッテリを充電する場合は、外部電源としてＡＣアダプタを接続する。ＡＣアダプタの接続端子は、例えばコンピュータ１０の背面に設けられている。
【００１４】
コンピュータ本体１１の上面にはキーボード１３、本コンピュータ１０をパワーオン／オフするためのパワーボタンスイッチ１４、およびタッチパッド１５などが配置されている。
【００１５】
次に、図２を参照して、本コンピュータ１０のシステム構成について説明する。
【００１６】
本コンピュータ１０は、図２に示されているように、ＣＰＵ１１１、ノースブリッジ１１４、主メモリ１１５、グラフィクスコントローラ１１６、サウスブリッジ１１７、ＢＩＯＳ−ＲＯＭ１２０、ハードディスクドライブ（ＨＤＤ）１２１、光ディスクドライブ（ＯＤＤ）１２２、各種ＰＣＩデバイス１２３、エンベデッドコントローラ／キーボードコントローラＩＣ（ＥＣ／ＫＢＣ）１４０、電源コントローラ（ＰＳＣ）１４１、電源回路１４２、ＡＣアダプタ（外部電源）１４３およびバッテリ１５０等を備えている。
【００１７】
ＣＰＵ１１１は本コンピュータ１０の動作を制御するために設けられたプロセッサであり、ＨＤＤ１２１から主メモリ１１５にロードされるオペレーティングシステムおよび各種アプリケーションプログラムを実行する。また、ＣＰＵ１１１は、ＢＩＯＳ−ＲＯＭ１２０に格納されたシステムＢＩＯＳ（Basic Input Output System）も実行する。システムＢＩＯＳはハードウェア制御のためのプログラムである。
【００１８】
ノースブリッジ１１４はＣＰＵ１１１のローカルバスとサウスブリッジ１１７との間を接続するブリッジデバイスである。ノースブリッジ１１４には、主メモリ１１５をアクセス制御するメモリコントローラも内蔵されている。また、ノースブリッジ１１４は、PCI Expressバスなどを介してグラフィクスコントローラ１１６との通信を実行する機能も有している。
【００１９】
グラフィクスコントローラ１１６は本コンピュータ１０のディスプレイモニタとして使用されるＬＣＤ１７を制御する表示コントローラである。このグラフィクスコントローラ１１６はビデオメモリ（ＶＲＡＭ）１１６Ａを有しており、ＯＳ／アプリケーションプログラムによってビデオメモリ（ＶＲＡＭ）１１６Ａに書き込まれた表示データから、ＬＣＤ１７に表示すべき表示イメージを形成する映像信号を生成する。
【００２０】
サウスブリッジ１１７はＰＣＩバス１に接続されており、ＰＣＩバス１を介してＰＣＩデバイス１２３との通信を実行する。また、サウスブリッジ１１７は、ハードディスクドライブ（ＨＤＤ）１２１および光ディスクドライブ（ＯＤＤ）１２２を制御するためのＩＤＥ（Integrated Drive Electronics）コントローラやSerial ATAコントローラを内蔵している。
【００２１】
エンベデッドコントローラ／キーボードコントローラＩＣ（ＥＣ／ＫＢＣ）１４０は、電力管理のためのエンベデッドコントローラと、キーボード（ＫＢ）１３およびタッチパッド１５を制御するためのキーボードコントローラとが集積された１チップマイクロコンピュータである。このＥＣ／ＫＢＣ１４０は、ユーザによるパワーボタンスイッチ１４の操作に応じて本コンピュータ１０をパワーオン／パワーオフする機能を有している。本コンピュータ１０のパワーオン／パワーオフの制御は、ＥＣ／ＫＢＣ１４０と電源コントローラ（ＰＳＣ）１４１との共同動作によって実行される。ＥＣ／ＫＢＣ１４０から送信されるＯＮ信号を受けると、電源コントローラ（ＰＳＣ）１４１は電源回路１４２を制御して本コンピュータ１０をパワーオンする。また、ＥＣ／ＫＢＣ１４０から送信されるＯＦＦ信号を受けると、電源コントローラ（ＰＳＣ）１４１は電源回路１４２を制御して本コンピュータ１０を電源オフする。
【００２２】
また、電源コントローラ（ＰＳＣ）１４１は、コンピュータ本体１１にバッテリ１５０が装着されたか否かを判別する機能、およびコンピュータ本体１１に外部電源（ＡＣアダプタ１４３）が接続されているか否かを判別する機能を有している。判別結果は、電源コントローラ（ＰＳＣ）１４１によってＥＣ／ＫＢＣ１４０内のステータスレジスタに設定される。
【００２３】
電源回路１４２は、コンピュータ本体１１に装着されたバッテリ１５０からの電力、またはコンピュータ本体１１に外部電源として接続されるＡＣアダプタ１４３からの電力を用いて、各コンポーネントへの動作電源を生成する。コンピュータ本体１１に外部電源（ＡＣアダプタ１４３）が接続されている場合には、電源回路１４２は、外部電源からの電力を用いて各コンポーネントへの動作電源を生成すると共に、外部電源からの電力を用いてバッテリ１５０を充電する。また、コンピュータ本体１１に外部電源（ＡＣアダプタ１４３）が接続される場合は、コンピュータ本体１１およびバッテリ１５０は、急速充電に対応しているため、急速充電に対応したＡＣアダプタか急速充電には対応せずに通常充電のみに対応するＡＣアダプタかのいずれかのＡＣアダプタが接続される。この場合、電源回路１４２は、ＡＣアダプタが急速充電に対応しているか否かを判別する機能を備えている。
【００２４】
バッテリ１５０は複数の２次電池および不揮発性メモリ１５１から構成されている。不揮発性メモリ１５１には、バッテリ１５０の能力を示す定格情報が予め格納されている。定格情報は、例えば、バッテリ１５０の最大放電電流を示す放電電流定格(A)、バッテリ１５０の定格容量(Ah)、バッテリ１５０に搭載された２次電池の個数を示すセル数情報、充放電が実行された回数を示すサイクル数、バッテリ１５０の使用時間の総計値などが含まれている。
【００２５】
ＥＣ／ＫＢＣ１４０、電源コントローラ（ＰＳＣ）１４１、電源回路１４２、およびバッテリ１５０は、Ｉ２Ｃバスのようなシリアルバス２を介して相互接続されている。コンピュータ本体１１にバッテリ１５０が装着されている期間中、またはコンピュータ本体１１にＡＣアダプタ１４３が接続されている期間中においては、ＥＣ／ＫＢＣ１４０および電源コントローラ（ＰＳＣ）１４１には、電源回路１４２から動作電源が常時供給される。
【００２６】
次に図３は、ＡＣアダプタ１４３、電源コントローラ（ＰＳＣ）１４１および電源回路１４２を中心とした構成の概念を示したブロック図である。ＡＣアダプタ１４３から充電用ＩＣ（電源回路）１４２に電力が供給される。供給された電力を充電用ＩＣ（電源回路）１４２がバッテリ１５０を充電する充電電流に変換する。電源マイコン（ＰＳＣ）１４１は、充電用ＩＣ（電源回路）１４２に対して充電電流値を設定する。また、電源マイコン（ＰＳＣ）１４１は、ＡＣアダプタ１４３の電圧値を監視する。電源マイコン（ＰＳＣ）１４１は、充電用ＩＣ（電源回路）１４２に対してテスト用充電電流をバッテリ１５０に供給するように制御を行い、ＡＣアダプタ１４３の電圧降下値を取得する。取得した電源の電圧降下値がしきい値より小さければ、接続されているＡＣアダプタ１４３は、急速充電に対応していると判別し、急速充電用に充電電流値を充電用ＩＣ（電源回路）１４２に対して設定する。
【００２７】
次に図４は、ＡＣアダプタ１４３、電源コントローラ（ＰＳＣ）１４１および電源回路１４２を中心とした構成をさらに詳細に示したブロック図である。
【００２８】
電源回路１４２は、ＡＣアダプタ１４３から供給される電力を変換（ＤＣ／ＤＣコンバータ）し、充電電流を生成する。電源コントローラ（ＰＳＣ）１４１で生成された充電電流によりバッテリ１５０が充電される。急速充電に対応したＡＣアダプタ１４３を用いる場合は、電源コントローラ（ＰＳＣ）１４１は、高い充電電流（第１の充電電流）をバッテリ１５０に供給する。一方、急速充電に対応していないＡＣアダプタ１４３を用いる場合は、電源コントローラ（ＰＳＣ）１４１は、第１の充電電流より低い充電電流（第２の充電電流）をバッテリ１５０に供給する。また、電源コントローラ（ＰＳＣ）１４１は、ＡＣアダプタ１４３が急速充電に対応しているか否かを判別する機能を備えている。この判別には、バッテリ１５０を充電する目的でないテスト用充電電流を用いる。テスト用充電電流は、第２の充電電流より低い充電電流（第３、第４の充電電流）が用いられる。
【００２９】
電源コントローラ（ＰＳＣ）１４１は、制御部１６０および記憶部１６１を備える。制御部１６０は、判別部１６０ａを備えている。判別部１６０ａは、バッテリ１５０に上述したテスト用充電電流を供給して得られるＡＣアダプタ１４３の電圧降下値を取得することで、接続されたＡＣアダプタ１４３が急速充電に対応しているか否かを判別する。記憶部１６１は、充電電流値記憶領域１６１ａおよび電圧のしきい値記憶領域１６１ｂを備えている。充電電流値記憶領域１６１ａには、各種充電電流が記憶されている。例えば、急速充電用充電電流値（第１の充電電流値）、通常充電用の充電電流値（第２の充電電流値）、テスト用充電電流値（第３、第４の充電電流値）等が記憶されている。電圧のしきい値記憶領域１６１ｂには、電圧のしきい値が記憶されている。電圧のしきい値は、１つまたは２つ以上である。
【００３０】
電源回路１４２は、バッテリ１５０に急速充電を行うための第１の充電電流、および通常充電を行うための第１の充電電流より低い第２の充電電流を供給する。制御部１４１は、電源回路１４２からバッテリ１５０に第２の充電電流より低い第３の充電電流を供給している状態におけるＡＣアダプタ１４３の第１の電圧値と、電源回路１４２からバッテリ１５０に充電電流を供給していない状態におけるＡＣアダプタ１４３の第２の電圧値との差分値が電圧のしきい値より小さい場合はＡＣアダプタ１４３が急速充電に対応していると判別し、第１の充電電流をバッテリ１５０に供給して急速充電を行う。
【００３１】
さらに、電源回路１４２は、バッテリ１５０に急速充電を行うための第１の充電電流、および通常充電を行うための第１の充電電流より低い第２の充電電流を供給する。制御部１６０は、電源回路１４２からバッテリ１５０に第２の充電電流より低い第３の充電電流を供給している状態におけるＡＣアダプタ１４３の第１の電圧値と、電源回路１４２からバッテリ１５０に第３の充電電流より低い第４の充電電流を供給している状態におけるＡＣアダプタ１４３の第２の電圧値との差分値が電圧のしきい値より小さい場合はＡＣアダプタ１４３が急速充電に対応していると判別し、第１の充電電流をバッテリ１５０に供給して急速充電を行う。
【００３２】
次に、図５のフローチャートを参照して、適切なＡＣアダプタ１４３の制御を行い、バッテリ１５０を最適に充電するための充電制御処理の手順の例を説明する。
【００３３】
電源コントローラ（ＰＳＣ）１４１は、コンピュータ本体１１にＡＣアダプタ１４３が装着されているか否かを判別する（ステップＳ１０１）。電源コントローラ（ＰＳＣ）１４１は、例えば、ＡＣアダプタ１４３との通信用の電極群の一つの電圧値を監視し、電圧値が所定の論理レベルに変化したときに、コンピュータ本体１１にＡＣアダプタ１４３が装着されたと判別する。コンピュータ本体１１に外部電源（ＡＣアダプタ１４３）が接続されていない時においても、バッテリ１５０が装着されると、その時点で電源コントローラ（ＰＳＣ）１４１およびＥＣ／ＫＢＣ１４０にそれぞれ動作電源が供給される。これにより、たとえコンピュータ本体１１に外部電源（ＡＣアダプタ１４３）が接続されていない時においても、電源コントローラ（ＰＳＣ）１４１は、コンピュータ本体１１にＡＣアダプタ１４３が装着されたことを検知することができる。
【００３４】
ステップＳ１０１で、電源コントローラ（ＰＳＣ）１４１によって、コンピュータ本体１１にＡＣアダプタ１４３が装着されたと判別された場合は（ステップＳ１０１のＹＥＳ）、電源コントローラ（ＰＳＣ）１４１は、記憶部１６１に記憶されているテスト用充電電流値を電源回路１４２に設定し、テスト用充電電流をバッテリ１５０に供給させる（ステップＳ１０２）。テスト用充電電流をバッテリ１５０に供給させると、電源コントローラ（ＰＳＣ）１４１は、ＡＣアダプタ１４３の電源の電圧を監視しており、ＡＣアダプタ１４３の電圧降下値を測定する。ＡＣアダプタ１４３の電圧降下値は、例えば、電源回路１４２からバッテリ１５０にテスト用充電電流（第３の充電電流）を供給している状態におけるＡＣアダプタ１４３の第１の電圧値と、電源回路１４２からバッテリ１５０に充電電流を供給していない状態におけるＡＣアダプタ１４３の第２の電圧値との差分値を算出する。ステップＳ１０３で、電源コントローラ（ＰＳＣ）１４１によって、測定されたＡＣアダプタ１４３の電圧降下値が記憶部１６１に記憶された電圧値のしきい値未満であると判別された場合は（ステップＳ１０３のＹＥＳ）、電源コントローラ（ＰＳＣ）１４１は、記憶部１６１に記憶された急速充電用の充電電流値（第１の充電電流値：例えば１０Ａ）を電源回路１４２に設定することで、バッテリ１５０に急速充電用の充電電流を供給させる（ステップＳ１０４）。一方、ステップＳ１０３で、電源コントローラ（ＰＳＣ）１４１によって、測定されたＡＣアダプタ１４３の電圧降下値が記憶部１６１に記憶された電圧値のしきい値以上であると判別された場合は（ステップＳ１０３のＮＯ）、電源コントローラ（ＰＳＣ）１４１は、記憶部１６１に記憶された通常充電用の充電電流値（第２の充電電流値：例えば３Ａ）を電源回路１４２に設定することで、バッテリ１５０に通常充電用の充電電流を供給させる（ステップＳ１０５）。
【００３５】
ここで、ＡＣアダプタ１４３の電圧降下値について説明する。図６は、ＡＣアダプタ１４３の定格と電圧降下のデータの一例を示した図である。急速充電に対応したＡＣアダプタ（７５Ｗ Adaptor）および通常充電のみに対応したＡＣアダプタ（４５Ｗ Adaptor）は、図６のようなグラフを示す。すなわち、急速充電に対応したＡＣアダプタは、通常充電のみに対応したＡＣアダプタよりも電源の電圧降下値が少ない。ＡＣアダプタ１４３の電圧降下値のしきい値は、例えば２０ｍＶとする。テスト用充電電流２Ａをバッテリ１５０に供給した場合は、負荷αでのＡＣアダプタ１４３の電圧降下値は、Ｖ１（急速充電に対応したＡＣアダプタ（７５Ｗ Adaptor））およびＶ２（通常充電のみに対応したＡＣアダプタ（４５Ｗ Adaptor））となる。例えば、Ｖ１は、バッテリ１５０に充電電流を供給していない状態でＡＣアダプタ１４３の電圧降下値が０であるので（コンピュータ１０が稼働していない状態において）、Ｖ１−Ｖ０＝Ｖ１となる。Ｖ２も同様に、Ｖ２−Ｖ０＝Ｖ２となる。図６に示されるように、Ｖ１はしきい値である２０ｍＶ（０．０２Ｖ）未満であるので、急速充電に対応したＡＣアダプタと判別され、Ｖ２はしきい値である２０ｍＶ（０．０２Ｖ）以上であるので、通常充電のみに対応したＡＣアダプタと判別される。なお、コンピュータ１０の電源がＯＮして稼働している場合においては、コンピュータ１０が消費する電力を差し引いて残りの電力を充電電流とするため、充電電流値の初期値は０Ａとして、徐々に充電電流値を引き上げるようにする。徐々に充電電流値を引き上げる過程において、ＡＣアダプタ１４３の電圧降下値を測定する。
【００３６】
以上、上述した実施形態によれば、接続されたＡＣアダプタの性能に応じた適切なバッテリの充電制御を行うことができる。このため、例えば、屋内では大型の急速充電に対応したＡＣアダプタを使用して短時間でバッテリを充電し、屋外では小型の持ち運びにすぐれた小型の通常充電のみに対応したＡＣアダプタを使用する場合等においては、ユーザが意識することなく、既存のＡＣアダプタを用いて自動的に最適な充電制御を行うことができる。
【００３７】
次に、上述した実施形態の変形例について説明する。上述した実施形態では、例えばＶ１は、バッテリ１５０に充電電流を供給していない状態でＡＣアダプタ１４３の電圧降下値が０であるので（コンピュータ１０が稼働していない状態において）、Ｖ１−Ｖ０＝Ｖ１として電源の電圧降下値を算出しているが、コンピュータ１０が稼働している等の理由でＶ０の値が必ずしも０Ａとは判別できない場合は、テスト用充電電流値を２つ用いてＡＣアダプタ１４３の電圧降下値の測定を行ってもよい。すなわち、電源回路１４２からバッテリ１５０に第３の充電電流（テスト用充電電流値１）を供給している状態におけるＡＣアダプタ１４３の第１の電圧値（Ｖ２）と、電源回路１４２からバッテリ１５０に第３の充電電流より低い第４の充電電流（テスト用充電電流値２）を供給している状態におけるＡＣアダプタ１４３の第２の電圧値（Ｖ１）との差分値がしきい値より小さい場合はＡＣアダプタ１４３が急速充電に対応していると判別する。このようにすることで、コンピュータ１０が稼働している等の理由でＶ０の値が必ずしも０Ａとは判別できない場合においても精度良くＡＣアダプタ１４３が急速充電に対応しているか否かを判別することができる。
【００３８】
さらに、別の変形例について説明する。上述した実施形態では、ＡＣアダプタ１４３の電圧降下値（差分値）のしきい値を１つ設定し、２種類のＡＣアダプタを判別しているが、設定されるしきい値を複数個設定してもよい。すなわち、しきい値を２つ設定した場合は、第１のしきい値および当該第１のしきい値より大きい値である第２のしきい値を設定する。そして、差分値が第１のしきい値より小さい場合、第１のしきい値より大きく第２のしきい値より小さい場合、および第２のしきい値より大きい場合の３つの場合の判別を行う。このように、３つの場合の判別を行うことにより３種類のＡＣアダプタを判別し、これらのＡＣアダプタに対応した充電電流を用いてバッテリ１５０に充電を行うことができる。
【００３９】
また、本実施形態の電子機器はコンピュータ１０によって実現するのみならず、例えば、ＰＤＡ（Personal Digital Assistant）のような様々な電子機器によって実現することもできる。
【００４０】
また、本発明は、前記実施形態そのままに限定されるものではなく、実施段階ではその要旨を逸脱しない範囲で構成要素を変形して具体化できる。また、前記実施形態に開示されている複数の構成要素の適宜な組み合わせにより種々の発明を形成できる。例えば、実施形態に示される全構成要素から幾つかの構成要素を削除してもよい。更に、異なる実施形態に構成要素を適宜組み合わせてもよい。
【符号の説明】
【００４１】
１０…コンピュータ、１１…コンピュータ本体、１１１…ＣＰＵ、１１２，１１３…コア、１４０…ＥＣ／ＫＢＣ、１４１…電源コントローラ（ＰＳＣ）、１４２…電源回路、１４３…ＡＣアダプタ、１５０…バッテリ、１５１…不揮発性メモリ。
【図１】
2010263677.tif 000003
【図２】
2010263677.tif 000004
【図３】
2010263677.tif 000005
【図４】
2010263677.tif 000006
【図５】
2010263677.tif 000007
【図６】
2010263677.tif 000008
【手続補正書】
【提出日】平成22年6月25日(2010.6.25)
【手続補正１】
【補正対象書類名】特許請求の範囲
【補正対象項目名】全文
【補正方法】変更
【補正の内容】
【特許請求の範囲】
【請求項１】
バッテリおよび外部電源によって駆動可能な電子機器であって、
前記バッテリへ、前記外部電源から急速充電のための第１の充電電流、あるいは前記外部電源から前記第１の充電電流より低く通常充電のための第２の充電電流を供給するように構成される電源回路と、
前記電源回路を制御するように構成される制御部とを具備し、
前記外部電源は前記電源回路が前記バッテリに前記第２の充電電流より低い第３の充電電流を供給している状態において第１の電圧を具備し、
前記外部電源は前記電源回路が前記バッテリにいずれの充電電流も供給していない状態において第２の電圧を具備し、
前記制御部は前記第１の電圧と前記第２の電圧との差がしきい値より小さい場合は、前記第１の充電電流を前記バッテリに供給するように前記電源回路を制御する電子機器。
【請求項２】
バッテリおよび外部電源によって駆動可能な電子機器であって、
前記バッテリへ、前記外部電源から急速充電のための第１の充電電流、あるいは前記外部電源から前記第１の充電電流より低く通常充電のための第２の充電電流を供給するように構成される電源回路と、
前記電源回路を制御するように構成される制御部とを具備し、
前記外部電源は前記電源回路が前記バッテリに前記第２の充電電流より低い第３の充電電流を供給している状態において第１の電圧を具備し、
前記外部電源は前記電源回路が前記バッテリに前記第３の充電電流より低い第４の充電電流を供給している状態において第２の電圧を具備し、
前記外部電源は前記第１の電圧と前記第２の電圧との差がしきい値より小さい場合は、前記第１の充電電流を前記バッテリに供給するように構成される電子機器。
【請求項３】
前記第１の充電電流は、前記バッテリの充電電流の上限および前記電源回路の所定の電流範囲の上限のいずれかである請求項１または請求項２記載の電子機器。
【請求項４】
前記制御部は、前記差が前記しきい値より大きい場合は前記外部電源が急速充電に対応していないと判別し、前記第２の充電電流を前記バッテリに供給するように構成される請求項１または請求項２記載の電子機器。
【請求項５】
前記制御部は、３つのパターンを決定するように構成され、該３つのパターンは第１のしきい値より小さい前記差を具備する第１のパターンと、前記第１のしきい値と等しいか、またはより大きく、前記第１のしきい値より大きい第２のしきい値より小さい前記差を具備する第２のパターンと、前記第２のしきい値と等しいか、またはより大きい前記差を具備する第３のパターンとを具備し、前記制御部は３つの種類の外部電源に対応する充電電流を用いて前記バッテリを充電するように構成される請求項１または請求項２記載の電子機器。
【請求項６】
前記差は、前記外部電源の電圧降下である請求項１または請求項２記載の電子機器。